(57)【要約】【課題】種々の足のサイズに合わせてベルトの甲回り寸法を調節できて、土踏まずを含めて足の裏の所望の部分を凸部で指圧することができるスリッパ等の履物を提供する。【解決手段】大サイズの足Ｆｂでも標準サイズの足Ｆａの場合と基本的な使用方法は同じあるが、ベルト７の甲回り寸法が足Ｆｂにぴったり合うように、雌側部９ｂの雄側部９ａに対する連結位置を決め、雌側部９ｂの先端側の領域Ｍｂが雄側部９ａと連結される。このように、ベルト７は面ファスナ９の雌側部９ｂの雄側部９ａに対する連結位置を変えることによってベルト７の甲回り寸法を調節することが可能である。【選択図】        図５
0003128573.tif 000002
【実用新案登録請求の範囲】
【請求項１】
底部と、前記底部に取り付けられたベルトと、前記底部の上面に設けられた凸部とを有し、前記底部とベルトに囲まれた空間に足を入れ、足の甲を前記ベルトに保持させて履く履物において、前記ベルトの甲回り寸法を調節する寸法調節手段を備えたことを特徴とする履物。
【請求項２】
請求項１に記載した履物において、ベルトはそれぞれ一端部が底部に連結された別々の２つの部材からなり、寸法調節手段は前記２つの部材を所望の甲回り寸法に調節した状態で連結でき、且つ連結を解除できる連結手段によって構成されていることを特徴とする履物。
【請求項３】
請求項２に記載した履物において、連結手段はベルトを構成する２つの部材に固定された面ファスナから成り、前記面ファスナの雌側部と雄側部の一方がベルトを構成する２つの部材の一方側に固定され、面ファスナの雌側部と雄側部の他方が前記ベルトを構成する２つの部材の他方側に固定されており、前記面ファスナの雌側部と雄側部の一方が他方よりもベルトの甲回り方向に長く延びていることを特徴とする履物。
【考案の詳細な説明】
【技術分野】
【０００１】
本考案はスリッパ等の履物に係り、特に足裏を指圧するための凸部を有する履物に関するものである。
【背景技術】
【０００２】
所謂爪先立ちスリッパが広く販売されている。この爪先立ちスリッパは底部の長さ寸法が標準的なスリッパよりかなり小さい。このため、底部に固定されたベルトと底部に囲まれた保持空間に足を入れて履くと、踵を上げた状態となるので、当該スリッパを履いていると足の筋肉が鍛えられ、足がスリムになることが期待される。
この種のスリッパの中には、底部の土踏まずに当たる位置に凸部が設けられたものがある。これはスリッパを履くと凸部が土踏まずに当たり、指圧の効果を得ようとするものである。
【考案の開示】
【考案が解決しようとする課題】
【０００３】
しかしながら、上記従来のスリッパのベルトは、甲回り寸法の調節機能を有していないので、足にベルトの甲回り寸法が合わないと、足を保持空間に入れても土踏まずが凸部からずれてしまうことになる。普通のスリッパであれば、足にベルトの甲回り寸法が合わなくても、それ程支障はないが、底部にある凸部で足のツボを指圧するこの種のスリッパでは甲回り寸法が足に合わないと、本来の機能を全く発揮できなくなってしまう。  
一方、甲回り寸法の調節機能を有していないと、凸部によって指圧される足の部分の変更が全くできないという不都合もある。
【０００４】
本考案は上記従来の問題点に着目して為されたものであり、種々の足のサイズに合わせてベルトの甲回り寸法を調節できて、土踏まずを含めて足の裏の所望の部分を凸部で指圧することができるスリッパ等の履物を提供することを、その目的とする。
【課題を解決するための手段】
【０００５】
本考案は上記課題を解決するためになされたものであり、請求項１の考案は、底部と、前記底部に取り付けられたベルトと、前記底部の上面に設けられた凸部とを有し、前記底部とベルトに囲まれた空間に足を入れ、足の甲を前記ベルトに保持させて履く履物において、前記ベルトの甲回り寸法を調節する寸法調節手段を備えたことを特徴とする履物である。
【０００６】
請求項２の考案は、請求項１に記載した履物において、ベルトはそれぞれ一端部が底部に連結された別々の２つの部材からなり、寸法調節手段は前記２つの部材を所望の甲回り寸法に調節した状態で連結でき、且つ連結を解除できる連結手段によって構成されていることを特徴とする履物である。
【０００７】
請求項３の考案は、請求項２に記載した履物において、連結手段はベルトを構成する２つの部材に固定された面ファスナから成り、前記面ファスナの雌側部と雄側部の一方がベルトを構成する２つの部材の一方側に固定され、面ファスナの雌側部と雄側部の他方が前記ベルトを構成する２つの部材の他方側に固定されており、前記面ファスナの雌側部と雄側部の一方が他方よりもベルトの甲回り方向に長く延びていることを特徴とする履物である。
【考案の効果】
【０００８】
本考案の履物では、種々の足のサイズに合わせてベルトの甲回り寸法を調節できて、土踏まずを含めて足裏の所望の箇所を凸部で指圧することが可能となる。
ベルトの甲回り寸法を調節することができるので、足のサイズに合わせてベルトの甲回り寸法の異なるものを用意する必要がなく、スリッパのサイズ構成を少なくすることが可能となる。
【考案を実施するための最良の形態】
【０００９】
本考案の実施の形態に係る履物としてのスリッパ１を図面にしたがって説明する。このスリッパ１は所謂爪先立ちスリッパである。スリッパ１は左右で一足を構成するが、左足用のスリッパと右足用のスリッパは対称形状であるので左足用のものを代表例として説明し、右足用のスリッパの説明は省略する。
符号３は底部を示し、この底部３の長さ寸法は標準的なスリッパの長さ寸法の約三分の二程度に設定されている。底部３の上面の後端部分には凸部５が設けられている。凸部５は合成ゴム製の球を、その一部が底部３の上面から突出するように底部３に埋め込むことによって構成されている。
【００１０】
底部３の長さ方向のほぼ中央にはベルト７が設けられており、このベルト７は短寸法の短ベルト部７ａと長寸法の長ベルト部７ｂの２つの部材によって構成されている。短ベルト部７ａの一端部は底部３の一方の側部に取り付けられ、長ベルト部７ｂの一端部は底部３の他方の側部に取り付けられている。従って、短ベルト部７ａと長ベルト部７ｂの他端部は自由端となっている。
【００１１】
図３に示すように、短ベルト部７ａの表面の自由端寄りには、面ファスナ９の雄側部９ａが固定されている。長ベルト部７ｂの裏面の自由端寄りには、面ファスナ９の雌側部９ｂが固定されている。雌側部９ｂは雄側部９ａよりもベルト７の甲回り方向へ長く延びている。
【００１２】
次に、スリッパ１の使用方法について説明する。
図３、図４（ａ）（ｂ）によって標準サイズの足Ｆａの大きさの者が使用する場合について説明する。図４において（ｂ）は（ａ）のＢ−Ｂ断面図である。このことは後記する図５と図６の（ａ）と（ｂ）においても同じである。
まず、図３に示すように長ベルト部７ｂを開くようにして引っ張り、面ファスナ９の雌側部９ｂを短ベルト部７ａの雄側部９ａから引き剥がす。そして土踏まずが凸部５に当るように足Ｆａを底部３に載せる。このとき、短ベルト部７ａが足Ｆａの甲の上にくるようにする。
【００１３】
そして図４（ａ）（ｂ）示すように長ベルト部７ｂの自由端側を短ベルト部７ａに被せるようして重ね合わせ、面ファスナ９の雌側部９ｂを雄側部９ａに連結する。この際、ベルト７の甲回り寸法が足Ｆａにぴったり合うように、雌側部９ｂの雄側部９ａに対する連結位置を決める。即ち、足Ｆａでは雌側部９ｂのほぼ中央の領域Ｍａが雄側部９ａと連結される。これにより足Ｆａが底部３とベルト７とに囲まれた空間に入った状態となり、足Ｆａの甲がベルト７によって保持される。
上記のように土踏まずが凸部５に当るように足Ｆａを底部３に載せた状態で、面ファスナ９の雄側部９ａと雌側部９ｂとを連結するので、足Ｆａの土踏まずに凸部５が接触し、且つベルト７の甲回り寸法、即ちベルト７の足Ｆａの甲に接触する部分の寸法が足Ｆａにぴったり合う状態を得ることが可能である。
なお、長ベルト部７ｂを斜め上方へ引っ張れば、雄側部９ａと雌側部９ｂとの連結は解除される。
【００１４】
図５（ａ）（ｂ）によって標準サイズの足Ｆａより大きい、大サイズの足Ｆｂの者が使用する場合について説明する。
大サイズの足Ｆｂでも上記した標準サイズの足Ｆａの場合と基本的な使用方法は同じあるが、ベルト７の甲回り寸法が足Ｆｂにぴったり合うように、雌側部９ｂの雄側部９ａに対する連結位置を決め、雌側部９ｂの先端側の領域Ｍｂが雄側部９ａと連結される。このように、ベルト７は面ファスナ９の雌側部９ｂの雄側部９ａに対する連結位置を変えることによってベルト７の甲回り寸法を調節することが可能である。
【００１５】
また、スリッパ１を標準サイズの足Ｆａより小さいサイズの、小サイズの足の者が使用する場合は、基本的な使用方法は上記した場合と同様であるが、小サイズの足に合わせてベルト７の甲回り寸法が小サイズの足にぴったり合うように、雌側部９ｂの雄側部９ａに対する連結位置を決め、雌側部９ｂの基端側の領域Ｍｃが雄側部９ａと連結される。
このようにスリッパ１で足のサイズの大小に拘わらず、土踏まずを凸部５に接触するようにベルト７の甲回り寸法を調節することが可能である。
【００１６】
図６（ａ）（ｂ）によって標準サイズの足Ｆａの者が土踏まずより足の踵に凸部５が接触するようにベルト７の甲周り寸法を調節する方法について説明する。
まず、足Ｆａを底部３に載せる。踵が凸部５に接触するようにする。そして、ベルト７の甲回り寸法が足にぴったり合うように、雌側部９ｂと雄側部９ａとを連結する。
このようにスリッパ１では足Ｆａの踵が凸部５に接触する位置に足Ｆａを載せた状態で、ベルト７の甲回り寸法がぴったり合う状態に調節することができる。
【００１７】
上記のようにスリッパ１では、足のサイズに合わせてベルト７の甲回り寸法を調節することができるので、足のサイズに拘わらず凸部５を土踏まずに接触させることができる。
また、土踏まず以外の箇所を凸部５に接触するようにベルト７の甲回り寸法を調節することもできるので、足裏の所望の位置を凸部５によって指圧することも可能となる。
更に、ベルト７の甲回り寸法を調節することができるので、足のサイズに合わせてベルトの甲回り寸法の異なるものを用意する必要がなく、スリッパのサイズ構成を少なくすることが可能となる。
【００１８】
以上、本考案の実施の形態について詳述してきたが、具体的構成は、この実施の形態に限られるものではなく、本考案の要旨を逸脱しない範囲における設計の変更などがあっても考案に含まれる。
例えば、上記実施の形態では、履物としてスリッパを示したが、スリッパだけでなくサンダル等に本考案を適用することも可能である。
【産業上の利用可能性】
【００１９】
本考案の履物は足のサイズに拘わらず、足裏の所望の箇所を凸部によって指圧することができる。
【図面の簡単な説明】
【００２０】
【図１】本考案の実施の形態に係るスリッパの斜視図である。
【図２】図１のスリッパの側面図である。
【図３】図１のスリッパの使用方法を説明するための図である。
【図４】図１のスリッパの使用方法を説明するための図である。
【図５】図１のスリッパの使用方法を説明するための図である。
【図６】図１のスリッパの使用方法を説明するための図である。
【符号の説明】
【００２１】
１  スリッパ      ３  底部      ５  凸部
７  ベルト      ７ａ  短ベルト部      ７ｂ  長ベルト部
９  面ファスナ      ９ａ  面ファスナの雄側部
９ｂ  面ファスナの雌側部      Ｍａ  雄側部のほぼ中央の領域
Ｍｂ  雄側部の先端側の領域      Ｍｃ  雄側部の基端側の領域
【図１】
0003128573.tif 000003
【図２】
0003128573.tif 000004
【図３】
0003128573.tif 000005
【図４】
0003128573.tif 000006
【図５】
0003128573.tif 000007
【図６】
0003128573.tif 000008